(57)【特許請求の範囲】
【請求項１】
最上段のパネルの昇降によって連れ上がりするように上下に複数段のパネルを複数列設けたものを１ユニットとし、その最上段のパネルに取り付けた動滑車と、当該複数のパネルを配置した構造本体に取り付けた定滑車とを介して１本のワイヤロープを掛け渡し、一端を固定した当該ワイヤロープを１つのモータで巻戻し及び巻送りするようにしたものであることを特徴とする防風フェンス。
【請求項２】
請求項１に記載の防風フェンスにおいて、
前記ワイヤロープの一端が張力検知装置に連結され、その検出信号を受けて前記モータの駆動停止が行われるようにしたものであることを特徴とする防風フェンス。
【請求項３】
請求項１又は請求項２に記載の防風フェンスにおいて、
前記パネルは、ネットにワイヤロープを通し、枠体に対してワイヤロープを連結させてネットを張った状態にしたものであることを特徴とする防風フェンス。
【請求項４】
請求項３に記載の防風フェンスにおいて、
前記ワイヤロープは、前記枠体に対して所定の引張荷重で外れるように連結したものであることを特徴とする防風フェンス。
【発明の詳細な説明】
【０００１】
【発明の属する技術分野】
本発明は、ボタ山などから粉塵が飛散するのを防止するのための防風フェンスに関する。
【０００２】
【従来の技術】
例えば製鉄所などでは、炭坑から石炭を掘り出し、残った土や石などが積み上げられてボタ山がつくられる。ボタ山は野ざらしにされ、風が吹くとそこから砂などの粉塵が飛散し、近隣の住宅地への環境を損なうことが懸念される。そのため、製鉄所では、そうした粉塵の飛散防止手段として防風フェンスを建て、ボタ山へ風が当たらないようにしている。防風フェンスは、例えば２０〜３０ｍ程の高さがあって、製鉄所を囲むように１ｋｍにも渡って張り巡らされ、ボタ山へ吹く風を遮るようにしている。
【０００３】
【発明が解決しようとする課題】
しかしながら、台風などの強風が吹いた場合には、面積の大きな防風フェンスはそれだけ風荷重も大きくなるため、破損を防止するには基礎や本体構造物を強固にするか、強風時の風荷重を小さくするように風を避ける構造にする必要があった。基礎や本体構造物を強固にする場合、防風フェンスは長い距離に渡って構築しなければならないため、コスト的に高価なものになってしまう。
【０００４】
また、防風フェンスの強風を避ける構造としては、パネルを上下に数段設け、そのパネルを上げ下げすることで対処できる。そして、こうした構造の防風フェンスは、例えば高速道路の防風柵などで従来から各種提案がなされている。しかし、それらは今回の本発明が対象とする防風フェンスのように高さのあるものではなく、また広い区間に渡って張り巡らせるようなものでないといった違いから、構造が複雑すぎたり、開閉のための駆動モータを数多く用いるなど、コストの面から採用できる技術ではなかった。
【０００５】
そこで本発明は、広範囲に渡って張り巡らす大型の防風フェンスを安価に提供することを目的とする。
【０００６】
【課題を解決するための手段】
本発明の防風フェンスは、最上段のパネルの昇降によって連れ上がりするように上下に複数段のパネルを複数列設けたものを１ユニットとし、その最上段のパネルに取り付けた動滑車と、当該複数のパネルを配置した構造本体に取り付けた定滑車とを介して１本のワイヤロープを掛け渡し、一端を固定した当該ワイヤロープを１つのモータで巻戻し及び巻送りするようにしたものであることを特徴とする。
【０００７】
よって、本発明によれば、パネルを下げて強風による風の抵抗を避けることによって構造本体の重量を大幅に抑えることができる点でコストの低減が可能となり、更に複数列のパネルを１本のワイヤロープを使い、１つのモータ５で昇降させるようした簡単な構造である点でもコストを抑えることが可能となる。
【０００８】
また、本発明の防風フェンスは、前記ワイヤロープの一端が張力検知装置に連結され、その検出信号を受けて前記モータの駆動停止が行われるようにしたものであることを特徴とする。
よって、本発明によれば、ワイヤロープの巻戻し過ぎによって生じ得る各所の破損や、巻送り過ぎによるワイヤロープの滑車からの脱落を防止することができる。
【０００９】
また、本発明の防風フェンスは、前記パネルが、ネットにワイヤロープを通し、枠体に対してワイヤロープを連結させてネットを張った状態にしたものであることを特徴とする防風フェンス。
よって、本発明によれば、目の細かいメッシュタイプのネットを使用すれば、粉塵を飛散させる風を遮ることができ、ワイヤロープで強度を確保しながら軽量化することができる。そして、軽量なパネルである点で構造本体の重量を大幅に抑えることができ、コストの低減が可能となる。
【００１０】
また、本発明の防風フェンスは、前記ワイヤロープが、前記枠体に対して所定の引張荷重で外れるように連結したものであることを特徴とする。
よって、本発明によれば、パネルを上昇させて広げた状態で強風が吹いたとしても、ネットを張るためのワイヤロープが外れることによって、構造本体が抵抗を受けて破損するのを防止することができる。この点でも構造本体の重量を大幅に抑えることができ、コストの低減が可能となる。
【００１１】
【発明の実施の形態】
次に、本発明にかかる防風フェンスの一実施形態について図面を参照しながら以下に説明する。図１は、防風フェンスの駆動部分を模式的に示した図である。本実施形態の防風フェンス１は、図示するように上下３枚のパネル２，３，４を５列設けて１ユニットとし、これを必要な距離に応じたユニット数だけ並べて構成するものである。パネル２，３，４は、１枚が例えば縦１０ｍ、横１８ｍ程の大きさをもったものであり、上下３枚を横５列にわたって全て広げると、１ユニットで縦３０ｍ、横９０ｍ程の面積で風を遮ることができるものである。
【００１２】
上下３段のパネル２，３，４は、いちばん下のパネル４を固定とし（以下、これを「固定パネル４」という）これに対して段々にずらした上のパネル２，３が昇降可能に設けられている（以下、これを「昇降パネル２，３」という）。昇降パネル２，３は、それぞれ後述する構造本体に対してスライド可能に取り付けられ、いちばん上の昇降パネル２が上昇する際、２段目の昇降パネル３がそれに引っかけられて連れ上がりするようになっている。
【００１３】
防風フェンス１には開閉装置としては１個のモータ５が使用され、１本のワイヤロープ６を巻戻し或いは巻送りすることによって、ユニット全部の昇降パネル２，３を昇降させるようにしている。そのため、昇降パネル２にそれぞれ２個の動滑車７，７が、そして構造本体にも定滑車８，８…が取り付けられ、これら動滑車７…及び定滑車８…を介してワイヤロープ６が掛け渡されている。ワイヤロープ６の先端はモータ５の反対側で張力検知装置９に固定され、その固定点とモータ５との間でワイヤロープ６の長さを調節することによって防風フェンス１の開閉が行われるようになっている。
【００１４】
こうして上下３枚のパネル２，３，４を横に５列並べて構成される防風フェンス１は、これらパネル２，３，４が構造本体に対して設けられている。ここで、図２は、防風フェンス１を示した正面図であり、図３は、その右側面図、そして図４は図２のＡ−Ａ断面図である。
【００１５】
構造本体１０は、１ユニット毎に組み立てられ、パネル２，３，４が広げられた場合にパネル１枚ごとのスペースを区切るようにして柱や梁で構成された骨組み構造をしたものである。そのため、図２の正面図（１列分のみ図示）で示すように縦には大きく３つの枠が区切られ、横方向にこれが５列分形成されている。具体的には、図３に示すように前後に配置された支柱１１，１１が鋼管杭１５を地盤に打ち込んだ基礎１６に立設され、それに前後梁１２，１２，１２が連結され、更にその支柱１１，１１に対し図２に示すような横梁１３，１３，１３が連結されている。
【００１６】
こうした構造本体１０に対して固定パネル４がいちばん手前に設けられ、昇降パネル３及び昇降パネル２が、その後方に前後して昇降可能に取り付けられている。パネル２，３，４は、具体的に図示しないがいずれも目の細かいメッシュのネットが張られたものである。そして、パネル４は、構造本体１０に直接固定される一方、昇降パネル２，３は、図３及び図４に示すように前後梁１２，１２，１２には２本のガイドレール１７，１８が取り付けられ、そのガイドレール１７，１８にそれぞれ両端をはめ込んでスライド可能に取り付けられている。
【００１７】
ネットを使用したパネル２，３，４は、ネットを単純に張っただけでは取り付け箇所だけが力を受けて破れやすくなるのでワイヤロープを通し、ネット全体がそのワイヤロープによって支えられるように形成されている。そこで、ネットには図５に示すような形で２本のワイヤロープ２１，２１を上下端に、そして縦には複数本のワイヤロープ２２，２２…を通し、ネットが受ける風をワイヤロープ２１，２２で支えるようにしたものである。縦のワイヤロープ２２は、図示するように多少の撓みをもたせる長さで連結されている。
【００１８】
ネット３０には、図６に示すように縦横に袋３１が縫製され、その袋３１にワイヤロープ２１，２２が通されている。ワイヤロープ２１，２２には先端にシングルロック２５が取り付けられており、これがパネル２，３，４を形成するフレーム２３に対してシャックル２６を介して連結されている。こうしてワイヤロープ２１，２２を連結するのは、強風によって防風フェンス１自体が破損したり、ネットが破れる前にワイヤロープ２１，２２、すなわちネット３０自体が先に外れて風の抵抗を無くすようにするためである。
【００１９】
また、ネット３０を張るフレーム２３は、角パイプを使って前述したパネルの大きさ、すなわち縦１０ｍ横１８ｍの大きさで形成された四角枠であり、さらに図２に示すように、ネット３０が受けた風による抵抗に耐え得るように補強材２４が縦に３本はめ込まれている。そして昇降パネル２には、このフレーム２３に動滑車７，７が取り付けられ、構造本体１０に固定された定滑車８，８…との間でワイヤロープ６が垂直に送られるようになっている。更に、昇降パネル２，３には、それぞれフレーム２３の上下端において、前方又は後方に張出した引掛２ａ，３ａが形成され（図４参照）、これによって昇降パネル３が昇降パネル２に伴って連れ上がりするようになっている。
【００２０】
次に、こうした防風フェンス１の開閉動作について図１を参照しながら説明する。防風フェンス１は、図面上で左側２列に示すように昇降パネル２，３が降りて、１ユニット全てのパネル２，３，４が重ねられた場合に開状態となり、そこからモータ５の駆動によって巻戻し動作が行われ、ワイヤロープ６が引っ張られて昇降パネル２，３が上昇した場合に閉状態となる。
即ち、開状態から閉状態にする場合、定滑車８と動滑車７との間でワイヤロープ６が引っ張り上げられ、動滑車７の付いた昇降プレート２が先ず持ち上げられる。そして、昇降プレート２がプレート１枚分の高さだけ上昇してところで次の昇降プレート３が引っかけられ、ワイヤロープ６によって２枚の昇降プレート２，３が引っ張り上げられる。
【００２１】
モータ５の駆動によってワイヤロープ６が巻上げられていくと、図に示すように各列の昇降プレート２，３が引き上げられていき、最終的には１ユニット全てのパネル２，３，４が上下３段に広げられる。こうした防風フェンス１の閉動作は、モータ５によって固定点との間のワイヤロープ６が余裕無く巻き上げられた時点で終了する。そして、その状態でモータ５の通電を切って回転を止めればブレーキが効き、ワイヤロープ６に作用する張力に抗してモータ５の空回りを防止する。そのため、ワイヤロープ６が緩んでしまうことなく１ユニット分の昇降プレート２，３を吊るし続けることができる。
【００２２】
一方、昇降プレート２，３を下げて防風フェンス１を開ける場合には、モータ５を逆転させてワイヤロープ６の送り出しを行う。ワイヤロープ６が送り出されれば、それに吊り下げられた昇降プレート２，３は自重によって下降する。その際、一気に落ちてしまわないようにモータ５がブレーキの役目を果たしている。そして、１ユニットすべての昇降プレート２，３が下りきったところでモータ５が停止する。
【００２３】
こうして昇降プレート２，３の昇降によって防風フェンス１の開閉が行われるが、前述した昇降プレート２，３が上がりきった状態、又は昇降プレート２，３が下りきった状態でモータ５をそれぞれ停止させる。そのタイミングは、張力検知装置９によってワイヤロープ６の引張荷重が確認されており、その引張荷重が所定の値を超えたとき、或いは下回ったときである。すなわち、ワイヤロープ６の先端が連結された張力検知装置９は、ワイヤロープ６に作用する引張荷重が作用している。
【００２４】
そして、防風フェンス１を閉じるとき、昇降プレート２，３が上がりきった状態ではそれ以上のワイヤロープ６の巻上げが不可能になる。その状態で更にモータ５がワイヤロープ６を巻上げようとすればワイヤロープ６に作用する引張荷重が大きくなるため、これを張力検知装置９が検出し、その検知信号を受けてモータ５が停止し、昇降プレート２，３の引き上げを完了する。
一方、防風フェンス１を開けるときには、すべての昇降プレート２，３が下りきるとワイヤロープ６が吊り下げ状態から解放され、引張荷重が作用しなくなる。そこで、防風フェンス１を開けるときには、張力検知装置９がワイヤロープ６に作用する引張荷重がある値を下回ったことを検出し、その検知信号を受けてモータ５が停止し、昇降プレート２，３の下降を完了する。
【００２５】
よって、本実施形態の防風フェンス１によれば、通常はパネル２，３を引き上げて閉状態とし、高さ３０ｍの壁をつくってボタ山などを囲み風を遮っている。従って、風に巻き上げられてボタ山などから粉塵が飛散することを防止することができる。
ところで、台風時など強風が吹くときは、たいていの場合風だけでなく雨が降ったりして粉塵の原因となる砂などは湿って重くなり、強雨風を受けても飛散しない状態になる。その一方で、パネル２，３を引き上げた閉状態のままでは、強い風の抵抗を受けて防風フェンス１が破損するおそれがある。
【００２６】
そのため、風力が一定の値を超える台風時などの場合には、防風フェンス１は、パネル２，３を降ろして開状態とし、風の抵抗を避けて破損を回避することができる。従って、防風フェンス１は、鋼管杭１５を地盤に打ち込んだ基礎１６や構造本体１０の重量を大幅に抑えた構造物として設計することができ、コストの低減を図ることができた。また、特に本実施形態では、複数列の昇降パネル２，３を１本のワイヤロープ６を使い、１つのモータ５で昇降させるようにしたため、構造が簡単で、かつ他の分野で利用されている複数のモータを使用するような防風フェンスに比べて格段にコストを抑えることが可能となった。
【００２７】
以上、防風フェンスの一実施形態について説明したが、本発明はこれに限定されることなく、その趣旨を逸脱しない範囲で様々な変更が可能である。
例えば、前記実施形態では、ネットを張ってパネル２，３，４を構成したが、ネットに限らず板状体のものであってもよい。
【００２８】
【発明の効果】
本発明は、最上段のパネルの昇降によって連れ上がりするように上下に複数段のパネルを複数列設けたものを１ユニットとし、その最上段のパネルに取り付けた動滑車と、当該複数のパネルを配置した構造本体に取り付けた定滑車とを介して１本のワイヤロープを掛け渡し、一端を固定した当該ワイヤロープを１つのモータで巻戻し及び巻送りするようにしたので、広範囲に渡って張り巡らす大型の防風フェンスを安価に提供することが可能となった。
【図面の簡単な説明】
【図１】防風フェンスの駆動部分を模式的に示した図である。
【図２】防風フェンスを示した正面図である。
【図３】防風フェンスを示した図２における右側面図である。
【図４】図２のＡ−Ａ断面図である。
【図５】パネルのネットに通すワイヤロープの形状を示した図である。
【図６】パネルのネットにワイヤロープを通した状態、及びワイヤロープの連結部を示した図である。
【符号の説明】
１      防風フェンス
２，３  昇降パネル
４      固定パネル
５      モータ
６      ワイヤロープ
７      動滑車
８      定滑車
９            張力検知装置
１０    構造本体
【図１】
0003590038.tif 000002
【図２】
0003590038.tif 000003
【図３】
0003590038.tif 000004
【図４】
0003590038.tif 000005
【図５】
0003590038.tif 000006
【図６】
0003590038.tif 000007